(57)【要約】【課題】  ユーザがカメラを利用する前に、カメラレンズの汚れ具合を確認したり、カメラレンズをクリーニングしたりする作業を不要とする携帯情報端末機を提供する。【解決手段】  第１のユニット１と第２のユニット２とを備え、カメラを搭載するとともに表示部６及びメイン操作部を有し、第１のユニット１と第２のユニット２とが長軸方向にスライド可能なスライド式構造の携帯情報端末機において、第１のユニット１と第２のユニット２の一方にカメラのカメラレンズ３を設けるとともに、他方にカメラレンズ３のクリーナ４を設けるとともに、スライド動作時にクリーナ４がカメラレンズ３に当接するように両者を配置する。【選択図】        図１
2005260674.tif 000002
【特許請求の範囲】
【請求項１】
第１のユニットと第２のユニットとを備え、カメラを搭載するとともに表示部及びメイン操作部を有し、前記第１のユニットと前記第２のユニットとが長軸方向にスライド可能なスライド式構造の携帯情報端末機において、
前記第１のユニットと前記第２のユニットの一方に前記カメラのカメラレンズを設けるとともに、他方に該カメラレンズのクリーナを設けるとともに、スライド動作時に前記クリーナが前記カメラレンズに当接するように両者を配置することを特徴とする携帯情報端末機。
【発明の詳細な説明】
【技術分野】
【０００１】
本発明は、カメラを搭載したスライド式構造の携帯情報端末機に係わり、特にカメラレンズのクリーニング機構に関する。
【背景技術】
【０００２】
近年、多くの携帯電話機にカメラが搭載されるようになっている。携帯電話機は常に持ち歩く物であり、カメラレンズが外部に露出している場合には、カメラレンズに傷が付いたり、埃などの汚れが付いたりしてしまうことがある。
【０００３】
この問題を解決するための従来技術として、カメラレンズを保護するためのレンズカバーを搭載した携帯電話機が商品化されている。
【０００４】
また、他の従来技術では、スライド式構造の携帯電話機において、正面側ユニットと裏面側ユニットの対向面内にカメラレンズを配置し、正面側ユニットと裏面側ユニットが重なった状態（縮退状態）ではカメラレンズを外部に露出させず保護し、正面側ユニットと裏面側ユニットが引き伸ばされた状態（展伸状態）の時にカメラレンズが外部に露出され、カメラ撮影ができるような構成をとり、カメラレンズ保護用の専用レンズカバーを不要とした携帯電話機が提案されている。（例えば、特許文献１参照）
【特許文献１】特開２００３−１７９６７８号
【発明の開示】
【発明が解決しようとする課題】
【０００５】
上記特許文献１記載のスライド式構造の携帯電話機では、カメラレンズ保護用の専用レンズカバーを不要とし、携帯電話機を縮退状態にしておくだけで、カメラレンズを傷や埃から保護することが可能となる。
【０００６】
しかしながら、携帯電話機を展伸状態にして撮影や通話等で使用している時には、カメラレンズが外部に露出された状態であるため、カメラレンズには埃などの汚れが付いてしまうことがある。このため、ユーザはカメラを利用する前にカメラレンズの汚れ具合を確認し、カメラレンズが汚れていた場合には、布切れ等のレンズクリーナを用いてクリーニングしなければならないので、利便性が悪いという問題があった。
【０００７】
本発明の目的は、使い勝手の良い携帯情報端末機を提供することである。
【課題を解決するための手段】
【０００８】
上記課題を解決するため、本発明では、カメラを搭載し、表示部を有する正面側ユニットがメイン操作部を有する裏面側ユニットに対して長軸方向にスライド可能なスライド式構造の携帯情報端末機において、前記正面側ユニットと前記裏面側ユニットの対向面に前記カメラのカメラレンズとクリーナを設け、スライド動作時に前記クリーナが前記カメラレンズに当接するように両者を配置することを特徴とする。
【０００９】
すなわち、本発明は、第１のユニットと第２のユニットとを備え、カメラを搭載するとともに表示部とメイン操作部とを有し、前記第１のユニットと前記第２のユニットとが長軸方向にスライド可能なスライド式構造の携帯情報端末機において、前記第１のユニットと前記第２のユニットの一方に前記カメラのカメラレンズを設けるとともに、他方に該カメラレンズのクリーナを設けるとともに、スライド動作時に前記クリーナが前記カメラレンズに当接するように両者を配置する携帯情報端末機である。
【００１０】
この構成により、スライド動作に連動して、クリーナがカメラレンズに当たるので、カメラレンズのクリーニングを自動的に行うことができる。このため、ユーザがカメラを利用しようとして、携帯情報端末機を展伸状態にした時には、カメラレンズのクリーニングは既に完了しているので、ユーザはカメラレンズの汚れを気にすることなく、即座にカメラ撮影を開始することが可能となる。
【発明の効果】
【００１１】
本発明によれば、使い勝手の良い携帯情報端末機を提供することができる。
【発明を実施するための最良の形態】
【００１２】
本発明を実施するための最良の形態を説明する。
以下、本発明の携帯情報端末機の実施例について、図面を用いて説明する。
【実施例１】
【００１３】
実施例１を説明する。図１と図２は、本発明のカメラレンズクリーナを搭載したスライド式構造の携帯情報端末機の第１実施例を示しており、図１（ａ）は、正面側ユニット１が裏面側ユニット２に重ねられた状態（縮退状態）の正面図を、図１（ｂ）は同じく側面図を、図１（ｃ）は同じく背面図を示している。図２（ａ）は、正面側ユニット１が裏面側ユニット２に対して長軸方向上方にスライドした状態（展伸状態）の正面図を、図２（ｂ）は同じく側面図を、図２（ｃ）は同じく背面図を示している。
【００１４】
本実施例の携帯情報端末機は２つのユニットからなり、一方のユニットである正面側ユニット１には、正面側に受話部（レシーバ）５、表示部６、サブ操作部７が設けられており、背面側にカメラレンズ（カメラ開口部）３が設けられている。裏面側ユニット２の正面側には、送話部（マイク）８、メイン操作部９、カメラレンズ３をクリーニングするためのクリーナ４が設けられている。
【００１５】
正面側ユニット１と裏面側ユニット２には、スライド動作用のガイドレール（図示なし）が取り付けられており、正面側ユニット１は裏面側ユニット２に対して長軸方向にスライド動作可能となっている。
【００１６】
携帯情報端末機が図１に示すような縮退状態では、カメラレンズ３は裏面側ユニット２に蓋をされるような状態となるため、傷や埃から保護される。携帯情報端末機を図２に示すような展伸状態にすると、カメラレンズ３は外部に露出され、カメラ撮影が可能となる。このため、カメラレンズ保護用の専用レンズカバーは不要となっている。
【００１７】
クリーナ４は、携帯情報端末機が図１に示すような縮退状態ではカメラレンズ３よりも長軸方向上部に位置し、スライド動作時にはカメラレンズ３に当接する位置に配置されている。クリーナ４は柔らかいブラシであり、ブラシの長さはスライド動作を妨げず、カメラレンズ３をクリーニングするのに適切な長さとなっている。ここではクリーナ４は柔らかいブラシとしたが、スライド動作時にカメラレンズ３を傷付けずにクリーニング出来る物ならば何でも良い。また、ユーザ自身撮影時に使用するミラーを設けた携帯情報端末機において、ミラーをカメラレンズのそばに設けると、ミラーも一緒にクリーニングすることができる。
【００１８】
図３は、カメラレンズクリーナ４を搭載したスライド式構造の携帯情報端末機において、正面側ユニット１を裏面側ユニット２に対して長軸方向上方にスライドさせた時に、カメラレンズ３が自動的にクリーニングされることを説明する概要図である。
【００１９】
図３（ａ）は、携帯情報端末機が縮退状態時のカメラレンズ３付近の側断面図を示している。図３（ｂ）に示すように、正面側ユニット１を裏面側ユニット２に対して引き伸ばしていくと、正面側ユニット１の背面側に設けられたカメラレンズ３は裏面側ユニット２の正面側に設けられたクリーナ４と当接するので、スライド動作に連動して、カメラレンズ３のクリーニングが自動的に行われることになる。図３（ｃ）は、カメラレンズ３のクリーニング終了後、正面側ユニット１を裏面側ユニット２に対して更に引き伸ばしている状態を示しており、図３（ｄ）は正面側ユニット１を裏面側ユニット２に対して最大限まで引き伸ばした状態を示している。
【００２０】
上記説明したように、本発明によれば、カメラ撮影のためにスライド操作をする度にクリーナ４がカメラレンズ３に当接して、カメラレンズ３の汚れを除去するので、ユーザがカメラを利用する前に、カメラレンズ３の汚れ具合を確認したり、カメラレンズ３をクリーニングしたりする作業を不要とし、利便性を向上することができる。
【実施例２】
【００２１】
実施例２を説明する。図４と図５は、本発明のカメラレンズクリーナを搭載したスライド式構造の携帯情報端末機の第２実施例を示しており、図４（ａ）は、正面側ユニット１が裏面側ユニット２に重ねられた状態（縮退状態）の正面図を、図４（ｂ）は同じく側面図を、図４（ｃ）は同じく背面図を示している。図５（ａ）は、正面側ユニット１が裏面側ユニット２に対して長軸方向上方にスライドした状態（展伸状態）の正面図を、図５（ｂ）は同じく側面図を、図５（ｃ）は同じく背面図を示している。
【００２２】
この携帯情報端末機の構成は、第１実施例とほぼ同様であり、カメラレンズ３が裏面側ユニット２の正面側に設けられている点、クリーナ４が正面側ユニット１の背面側に設けられている点のみが異なっている。
【００２３】
クリーナ４は、携帯情報端末機が図４に示すような縮退状態ではカメラレンズ３よりも長軸方向下部に位置し、スライド動作時にはカメラレンズ３に当接する位置に配置されている。これにより、第１の実施例同様、スライド動作に連動して、カメラレンズ３のクリーニングが自動的に行われることになる。
【００２４】
以上説明したように、本発明によれば、カメラレンズ３が外部に露出した時には、カメラレンズ３はクリーニング済みとなっているので、ユーザはカメラレンズ３の汚れ具合を気にすることなく、即座にカメラ撮影を開始することができる。
【図面の簡単な説明】
【００２５】
【図１】実施例１の携帯情報端末機を縮退状態にした場合の概要図。
【図２】実施例１の携帯情報端末機を展伸状態にした場合の概要図。
【図３】実施例１の携帯情報端末機におけるスライド動作に連動したカメラレンズクリーニングの概要図。
【図４】実施例２の携帯情報端末機を縮退状態にした場合の概要図。
【図５】実施例２の携帯情報端末機を展伸状態にした場合の概要図。
【符号の説明】
【００２６】
１…正面側ユニット
２…裏面側ユニット
３…カメラレンズ(カメラ開口部)
４…クリーナ
５…受話部(レシーバ)
６…表示部
７…サブ操作部
８…送話部(マイク)
９…メイン操作部
【図１】
2005260674.tif 000003
【図２】
2005260674.tif 000004
【図３】
2005260674.tif 000005
【図４】
2005260674.tif 000006
【図５】
2005260674.tif 000007